(57)【特許請求の範囲】
【請求項１】
ベースに、操作キーを挿入するキー挿入孔を形成すると共に、前記ベースに、前記キー挿入孔を挟んで一方および他方のキー保持用突起部を設け、前記一方および他方のキー保持用突起部間に支軸を横架し、前記一方のキー保持用突起部の内面を前記ベースの面部に垂直な垂線に対して所定の角度に傾けた傾斜面にし、
前記一方のキー保持用突起部にねじ孔を形成して、このねじ孔に調整ねじを螺合して、この調整ねじの先端部を前記傾斜面側に突出させ、
前記操作キーの基部に挿入部と孔部とを設け、前記挿入部を前記キー挿入孔に挿入して、前記孔部に前記支軸を挿通させて前記操作キーが一方向に揺動可能とする揺動支点にし、
前記挿入部と前記他方のキー保持用突起部の内面との間に角度調整ばねを圧縮状態で介在して、前記角度調整ばねを前記支軸回りに配置して、前記角度調整ばねのばね力により前記操作キーを前記傾斜面側に押し付けるように構成し、
且つ、前記挿入部にストッパ部を設け、前記ベースに形成した前記キー挿入孔における互いに前記一方向に直交する方向に対向する一対の端壁部に、それぞれ前記ストッパ部に対向するストッパ受部を設けて、前記操作キーの前記挿入部を前記キー挿入孔に挿入して前記支軸に取付けた状態で、前記ストッパ部と前記ストッパ受部との間に隙間をそれぞれ持たせて構成したことを特徴とするセーフティスイッチ用操作キー装置。
【発明の詳細な説明】
【０００１】
【発明の属する技術分野】
本発明は、工作機械等の設備の安全柵のドア等のロックを検出するのに使用されるセーフティスイッチの操作キー装置に関するものである。
【０００２】
【従来の技術】
一般に、セーフティスイッチは、工作機械等の設備の安全柵の出入口に取り付けてあり、この出入口を開閉するドアにはセーフティスイッチを作動させるセーフティスイッチ用操作キー装置が取り付けてある。
【０００３】
このセーフティスイッチ用操作キー装置Ｋは、図１１乃至図１３に示すようにベース７１を備えており、このベース７１は、その中央部にキー取付部７２を有しており、このキー取付部７２の一部には調整ねじ取付座部７３が形成してある。そして、このキー取付部７２にはベース７１の長手方向（左右方向）に沿うキー溝７４が形成してあり、このキー溝７４の底部の調整ねじ取付座部７３側にはばね収容凹部７５が形成してある。
【０００４】
操作キー７６はキー本体７６Ａを有しており、このキー本体７６Ａは、その先側に一対の側片部７７を有し且つこれらの側片部７７間に横材７７ａを渡して構成してある。そして、キー本体７６Ａの基部の右側縁部には調整脚部７８が形成してあり、この調整脚部７８は、キー本体７６Ａの基部の面部に平行であって、このキー本体７６Ａの基部の右方に突出している。
【０００５】
そして、ばね収容凹部７５にはばね７９が収容してあり、また、キー溝７４には操作キー７６の基部側が挿入してあって、基部に設けたピン孔７６ａに、ベース７１に設けた支軸７１Ａが挿通してあり、また、調整脚部７８はキー溝７４に挿入してある。
【０００６】
そして、調整ねじ取付座部７３には、そのねじ孔（図示せず）に螺合させて調整ねじ７０が設けてある。この場合、調整脚部７８がばね７９により押し上げられていて、この調整脚部７８が下から調整ねじ７０の頭部７０Ａに当接している。
【０００７】
そして、調整ねじ７０を締め付けることにより、調整脚部７８をばね７９に抗して固定することで、操作キー７６を水平方向Ｘ−Ｘにおいて中立状態にすることができるし、また、調整ねじ７０を緩めて調整脚部７８をばね７９により保持させて、操作キー７６の水平方向Ｘ−Ｘの揺動を可能にすることができる。
【０００８】
そして、上記のように構成されたセーフティスイッチ用操作キー装置Ｋは、図１４に示すように、工作機械等の設備の安全柵の出入口に設けた垂直支柱６９Ａを中心にして水平方向に開閉するドア６９に、操作キー７６を水平方向にして取り付けてある。また、セーフティスイッチＢを安全柵側に取り付ける。
【０００９】
この状態では、ドア６９は、垂直支柱６９Ａを中心にして前後方向に揺動して安全柵の出入口を開閉するものであり、このドア６９の揺動支点Ｑからセーフティスイッチ用操作キー装置Ｋまでの距離Ｌがキーロックのための回転半径である。したがって、この回転半径があるために、セーフティスイッチ用キー装置Ｋにおいて、操作キー７６を水平方向に揺動させることで、この操作キー７６を容易にセーフティスイッチＢのキー挿入口に挿入させることができる。
【００１０】
【発明が解決しようとする課題】
しかしながら、上記した従来のセーフティスイッチ用操作キー装置にあっては、ドア６９の回転半径に応じて調整ねじ７０を回転操作して操作キー７６の調整脚部７８をばね７９により保持させて、この操作キー７６を揺動し、その傾きを調整するのであるが、操作キー７６を角度調整するのに、操作キー７６に調整脚部７８を設け、この調整脚部７８をばね７９により押し上げて調整ねじ７０で保持する構成にしなければならず、このために、ばね７９による操作キー７６への作用点が操作キー７６の揺動支点から離れて装置全体が大形になり、しかも、操作キーの角度調整範囲が狭いという問題点があった。
【００１１】
本発明は、上記の問題点に着目して成されたものであって、その目的とするところは、小形で且つ操作キーの角度調整範囲の広いセーフティスイッチ用操作キー装置を提供することである。
【００１５】
【課題を解決するための手段】
上記の目的を達成するために、本発明に係るセーフティスイッチ用操作キー装置は、ベースに、操作キーを挿入するキー挿入孔を形成すると共に、ベースに、キー挿入孔を挟んで一方および他方のキー保持用突起部を設け、一方および他方のキー保持用突起部間に支軸を横架し、一方のキー保持用突起部の内面をベースの面部に垂直な垂線に対して所定の角度に傾けた傾斜面にし、一方のキー保持用突起部にねじ孔を形成して、このねじ孔に調整ねじを螺合して、この調整ねじの先端部を傾斜面側に突出させ、操作キーの基部に挿入部と孔部とを設け、挿入部をキー挿入孔に挿入して、孔部に支軸を挿通させて操作キーが一方向に揺動可能とする揺動支点にし、挿入部と他方のキー保持用突起部の内面との間に角度調整ばねを圧縮状態で介在して、角度調整ばねを支軸回りに配置して、角度調整ばねのばね力により操作キーを傾斜面側に押し付けるように構成し、且つ、挿入部にストッパ部を設け、ベースに形成したキー挿入孔における互いに一方向に直交する方向に対向する一対の端壁部に、それぞれストッパ部に対向するストッパ受部を設けて、操作キーの挿入部をキー挿入孔に挿入して支軸に取付けた状態で、ストッパ部とストッパ受部との間に隙間をそれぞれ持たせて構成するようにしたものである。
【００１６】
かかる構成により、例えば、ドアの回転半径に応じて調整ねじを回転操作して操作キーを揺動し、その傾きを調整するのであるが、操作キーの挿入部をキー挿入孔に挿入して、孔部に支軸を挿通させて操作キーの揺動支点にし、操作キーと他方のキー保持用突起部の内面との間に角度調整ばねを圧縮状態で介在して、角度調整ばねを支軸回りに配置し、角度調整ばねのばね力により操作キーを一方のキー保持用突起部の傾斜面に押し付けるようにしたことで、角度調整ばねによる操作キーへの作用点を操作キーの揺動支点に近付けることができ、また、角度調整ばねによる操作キーへの作用点を調整ねじによる操作キーへの作用点に近付けることができるために、小形で且つ操作キーの角度調整範囲の広いセーフティスイッチ用操作キー装置を提供することができる。
【００１８】
また、かかる構成により、操作キーの挿入部のストッパ部がストッパ受部に当接する範囲で、操作キーは支軸を支点にして揺動することが可能であるために、操作キーのセーフティスイッチのキー挿入口への挿入を容易にすることができる。
【００１９】
【発明の実施の形態】
以下、本発明の実施の形態を図面に基づいて説明する。
【００２０】
図１は本発明に係るセーフティスイッチ用操作キー装置の平面図、図２は同セーフティスイッチ用操作キー装置の側面図、図３は図２のＢ方向からの矢視図、図４は図２のＣ方向からの矢視図、図５は図１のＤ−Ｄ線に沿う断面図、図６は図１のＥ−Ｅ線に沿う断面図である。
【００２１】
本発明に係るセーフティスイッチ用キー装置Ａはベース１を備えており、このベース１の長手方向の両側には取付孔１Ａが設けてある。また、ベース１の面部１Ｂの中央部には、このベース１の短手方向に長いキー挿入孔２が形成してある。
【００２２】
このキー挿入孔２は、一方の側壁部３と、この一方の側壁部３に対向する他方の側壁部４と、一方の端壁部５と、この一方の端壁部５に対向する他方の端壁部６とを有している。そして、一方および他方の端壁部５、６は、図６に示すように階段形状であって、その中間部にストッパ受部７が形成してある。
【００２３】
また、ベース１の面部１Ｂには、キー挿入孔２を挟んで一方および他方のキー保持用突起部８、９が突設してある。一方のキー保持用突起部８の内面は、ベース１の面部１Ｂに垂直な垂線イに対して所定の角度αに傾けた傾斜面１０にしてある。また、他方のキー保持用突起部９の垂直な内面には、この他方のキー保持用突起部９の軸方向に沿うばね挿入溝部１１が形成してある。
【００２４】
そして、一方のキー保持用突起部８の中間部には外面８ａから内面の傾斜面１０に抜けるねじ孔１２が形成してあり、このねじ孔１２には揺動調整手段である調整ねじ１３が螺合してある。また、一方および他方のキー保持用突起部８、９の基部には軸取付用孔部１４、１５が設けてある。
【００２５】
操作キー１６は、図７及び図８に示すように板材を打抜き成形によって、その基部には挿入部１７と孔部１８とが、また、先部にはキー部２０がそれぞれ形成してあり、挿入部１７は舌片部２１とこの舌片部２１を挟んだ左右のストッパ部２２から構成してある。また、キー部２０は断面コ字形状であり、その面部には長方形状の孔部２４が形成してある。
【００２６】
そして、操作キー１６の挿入部１７はキー挿入孔２に挿入してあり、また、操作キー１６の挿入部１７と他方のキー保持用突起部９のばね挿入溝部１１との間に弾性付勢手段としてのコイル状ばねからなる角度調整ばね１９が圧縮状態で介在させてある。
【００２７】
そして、一方の軸取付用孔部１４から支軸２３を操作キー１６の挿入部１７の孔部１８及び角度調整ばね１９に挿入して、他方の軸取付用孔部１５に係止することで、操作キー１６がベース１に取り付けてあって、孔部１８と支軸２３とで操作キー１６の揺動支点Ｐを構成しており、また、角度調整ばね１９による操作キー１６の作用点Ｒは孔部１８の周囲である。
【００２８】
この場合、角度調整ばね１９のばね力により操作キー１６は一方のキー保持用突起部８の内面の傾斜面１０側に押し付けられていて、調整ねじ１３の先端部１３Ａが操作キー１６に当接しており、この当接点が、調整ねじ１３による操作キー１６への作用点Ｓである。そして、角度調整ばね１９は、その外側のばね線１９ａ間より内側のばね線１９ａ間が狭くなっていて湾曲している。
【００２９】
また、図６に示すように操作キー１６の挿入部１７の舌片部２１を挟んだ左右のストッパ部２２は、キー挿入孔２の一方および他方の端壁部５、６のストッパ受部７に対して所定の隙間ｔをおいて対向している。
【００３０】
したがって、角度調整ばね１９を支軸２３の周囲に配置したことにより省スペース化が可能になる。そして、操作キー１６の挿入部１７の左右のストッパ部２２と一方および他方のストッパ受部７との間に所定の隙間ｔがあることにより、この隙間ｔの範囲内で操作キー１６は支軸２３を支点にして、図６において左右方向に揺動することが可能である。
【００３１】
また、一方のキー保持用突起部８の中間部に設けられたねじ孔１２に螺合された調整ねじ１３を治具（図示せず）で回転してねじ送りして操作キー１６を角度調整ばね１９に抗して押すことにより操作キー１６の傾き角度βを変えることができる。この場合、調整ねじ１３の位置が支軸２３の近くにあるために、調整ねじ１３の少ない調整ストロークで、大きな角度調整が可能になり、省スペース化が可能になる。
【００３２】
そして、工作機械等の設備の安全柵の出入口に、図９に示すように左垂直支柱３０を中心にして前後方向に揺動するドア３１に、本発明のセーフティスイッチ用キー装置Ａを、その操作キー１６が水平になるようにしてベース１の取付孔１Ａを利用して取付ねじ（図示せず）で取り付ける。また、セーフティスイッチＢを安全柵（図示せず）側に取り付ける。
【００３３】
この状態では、ドア３１は、垂直支柱３０を中心にして前後方向に揺動して安全柵の出入口を開閉するものであり、このドア３１の左にある揺動支点Ｑからセーフティスイッチ用キー装置Ａまでの距離Ｌ１がキーロックのための回転半径である。したがって、この回転半径に合わせて、セーフティスイッチ用キー装置Ａにおいて、操作キー１６の傾き角度βが調整される。
【００３４】
そして、操作キー１６の挿入部１７の左右のストッパ部２２と一方および他方のストッパ受部７との間に所定の隙間ｔがあることにより、この隙間ｔの範囲内で操作キー１６は支軸２３を支点にして、図９において上下方向に揺動することが可能であるために、この操作キー１６を容易にセーフティスイッチＢのキー挿入口Ｂ１に挿入させることができる。
【００３５】
また、工作機械等の設備の安全柵の出入口に、図１０に示すように右垂直支柱３０´を中心にして前後方向に揺動するドア３１´に、本発明のセーフティスイッチ用キー装置Ａを、その操作キー１６が水平になるようにしてベース１の取付孔１Ａを利用して取付ねじ（図示せず）で取り付けることができる。この場合、セーフティスイッチＢは安全柵（図示せず）側に取り付けられる。
【００３６】
この状態では、ドア３１´は、右垂直支柱３０´を中心にして前後方向に揺動して安全柵の出入口を開閉するものであり、このドア３１´の右にある揺動支点Ｑ´からセーフティスイッチ用キー装置Ａまでの距離Ｌ１がキーロックのための回転半径である。したがって、この回転半径に合わせて、セーフティスイッチ用キー装置Ａにおいて、操作キー１６の傾き角度βが調整される。
【００３７】
そして、操作キー１６を図１０において上下方向に揺動することが可能であるために、この操作キー１６を容易にセーフティスイッチＢ´のキー挿入口Ｂ１´に挿入させることができる。
【００３８】
このように左側のドア３１に取り付けられたセーフティスイッチ用キー装置Ａと、右側のドア３１´に取り付けられたセーフティスイッチ用キー装置Ａとは同一構成であり、１つのセーフティスイッチ用キー装置Ａを１８０度回転させることにより、左、右側のドア３１、３１´に取り付けることができる。
【００３９】
【発明の効果】
以上説明したように、本発明に係るセーフティスイッチ用操作キー装置によれば、ドアの回転半径に応じて揺動調整手段を操作して操作キーを揺動し、その傾きを調整するのであるが、弾性付勢手段による操作キーへの作用点が操作キーの揺動支点に近付けてあり、また、弾性付勢手段による操作キーへの作用点が揺動調整手段による操作キーへの作用点に近付けてあるために、小形で且つ操作キーの角度調整範囲の広いセーフティスイッチ用操作キー装置を提供することができる。
【００４０】
また、挿入部に左右のストッパ部を設け、キー挿入孔に、ストッパ部に対向するストッパ受部を設け、操作キーの挿入部をキー挿入孔に挿入して支軸に取付けた状態で、ストッパ部とストッパ受部との間に隙間を持たせることで、操作キーの挿入部のストッパ部がストッパ受部に当接する範囲で、操作キーは支軸を支点にして揺動することが可能であるために、操作キーのセーフティスイッチのキー挿入口への挿入を容易にすることができる。
【図面の簡単な説明】
【図１】  本発明に係るセーフティスイッチ用操作キー装置の平面図である。
【図２】  同セーフティスイッチ用操作キー装置の側面図である。
【図３】  図２のＢ方向からの矢視図である。
【図４】  図２のＣ方向からの矢視図である。
【図５】  図１のＤ−Ｄ線に沿う断面図である。
【図６】  図１のＥ−Ｅ線に沿う断面図である。
【図７】  操作キーの正面図である。
【図８】  図７のＦ−Ｆ線に沿う断面図である。
【図９】  本発明に係るセーフティスイッチ用操作キー装置を安全柵の左側の垂直支柱を中心にして前後方向に揺動するドアに取り付けた場合の説明図である。
【図１０】  本発明に係るセーフティスイッチ用操作キー装置を安全柵の右側の垂直支柱を中心にして前後方向に揺動するドアに取り付けた場合の説明図である。
【図１１】  従来のセーフティスイッチ用操作キー装置の平面図である。
【図１２】  図１１のＧ−Ｇ線に沿う断面図である。
【図１３】  図１１のＨ−Ｈ線に沿う断面図である。
【図１４】  従来のセーフティスイッチ用操作キー装置を安全柵の左側の垂直支柱を中心にして前後方向に揺動するドアに取り付けた場合の説明図である。
【符号の説明】
１        ベース
１Ｂ      面部
１Ａ      取付孔
２        キー挿入孔
３        一方の側壁部
４        他方の側壁部
５        一方の端壁部
６        他方の端壁部
７        ストッパ受部
８        一方のキー保持用突起部
９        他方のキー保持用突起部
１０      傾斜面
１１      ばね挿入溝部
１２      ねじ孔（揺動調整手段）
１３      調整ねじ（揺動調整手段）
１４      軸取付用孔部
１５      軸取付用孔部
１６      操作キー
１７      挿入部
１８      孔部
１９      角度調整ばね（弾性付勢手段）
１９ａ    ばね線
２０      キー部
２１      舌片部
２２      ストッパ部
２３      支軸
２４      孔部
３０      左垂直支柱
３０´    右垂直支柱
３１      ドア
３１´    ドア
Ａ        セーフティスイッチ用キー装置
Ｂ        セーフティスイッチ
Ｂ´      セーフティスイッチ
Ｂ１      キー挿入口
Ｂ１´    キー挿入口
Ｐ        揺動支点
Ｒ        作用点
Ｓ        作用点
【図１】
0004029552.tif 000002
【図２】
0004029552.tif 000003
【図３】
0004029552.tif 000004
【図４】
0004029552.tif 000005
【図５】
0004029552.tif 000006
【図６】
0004029552.tif 000007
【図７】
0004029552.tif 000008
【図８】
0004029552.tif 000009
【図９】
0004029552.tif 000010
【図１０】
0004029552.tif 000011
【図１１】
0004029552.tif 000012
【図１２】
0004029552.tif 000013
【図１３】
0004029552.tif 000014
【図１４】
0004029552.tif 000015